(57)【要約】  【課題】  メイン基板に縦向きに配置される立基板をＤＩＰ時に垂直に保持しておくことができて立基板の傾きを無くすことができる立基板の垂直保持構造を提供する。【解決手段】  メイン基板１に形成された穴部１ａに挿入されて縦向きに配置される立基板２をＤＩＰ時に傾かないように保持するようにした立基板の垂直保持構造において、半田４が立基板２の表裏面におけるメイン基板１の穴部１ａとその上下部分に至る範囲に形成されたランド３に盛られており、立基板２をメイン基板１の穴部１ａに挿入した際に立基板２に盛られた半田４がメイン基板１の穴部１ａの内面に接するようにされている。【選択図】  図１
2009049214.tif 000002
【特許請求の範囲】
【請求項１】
メイン基板に形成された穴部に挿入されて縦向きに配置される立基板をＤＩＰ時に傾かないように保持するようにした立基板の垂直保持構造において、前記立基板の表裏面における前記メイン基板の穴部に挿入される部分の前記メイン基板に対する少なくとも上下部分に形成されたランドに半田が予め盛られており、これら少なくとも上下部分の半田が前記メイン基板における前記穴部の上下縁に接することによって、前記立基板がＤＩＰ時に傾かないように保持されるようにしたことを特徴とする立基板の垂直保持構造。
【請求項２】
前記半田が前記立基板の表裏面における前記メイン基板の穴部とその上下部分に至る範囲に形成されたランドに盛られており、前記立基板を前記メイン基板の穴部に挿入した際に前記立基板に盛られた半田が前記メイン基板の穴部の内面に接するようにされている請求項１に記載の立基板の垂直保持構造。
【請求項３】
前記半田が前記立基板の表裏面における前記メイン基板の穴部の下部と上部に形成されたランドに盛られており、前記立基板を前記メイン基板の穴部に挿入した際に前記立基板に盛られた上部の半田が前記メイン基板上面に接するようにされている請求項１に記載の立基板の垂直保持構造。
【請求項４】
前記半田は前記立基板の表裏面の横方向に複数列形成されたランドに盛られている請求項１乃至３のいずれかに記載の立基板の垂直保持構造。
【請求項５】
前記半田は前記立基板の横方向の表裏面における少なくとも左右２箇所形成されたランドに盛られている請求項１乃至３のいずれかに記載の立基板の垂直保持構造。
【発明の詳細な説明】
【技術分野】
【０００１】
本発明は、メイン基板に形成された穴部に挿入されて縦向きに配置される立基板をＤＩＰ時に傾かないように保持するようにした立基板の垂直保持構造に関するものである。
【背景技術】
【０００２】
従来、メイン基板に立基板を縦向きに配置するには、図４（ａ）（ｂ）に示すように、メイン基板１０１に形成された穴部１０１ａに立基板１０２を差し込んで、立基板１０２におけるメイン基板１０１の裏側に形成された複数列のランド１０４に半田１０５を盛って半田付けするようになっているが、メイン基板１０１の穴部１０１ａの寸法が立基板１０２の誤差を考慮して若干余裕を持つように形成されている。ところが、このためにＤＩＰ時に立基板１０２が傾いてしまうという問題があった。
【０００３】
第１の従来技術を図５（ａ）（ｂ）に示す。この従来のプリント基板の垂直実装構造は、図５（ａ）（ｂ）に示すように、第１のプリント基板２２１に基板実装用ホール２２１Ａを形成する。第２のプリント基板２４１に基板実装用ホール２２１Ａに差し込む脚板部２４１Ａを形成する。脚板部２４１Ａにおいて櫛状の接続用ランド２４３ａ、２４３ｂを形成する。第１のプリント基板２２１の裏面２２１ｂにおいて基板実装用ホール２２１Ａの直近に接続用ランド２２３ａ、２２３ｂを形成する。第２のプリント基板２４１の本体下端縁２４１ｃ、２４１ｃに臨んで位置決め用ランド２４４ａ、２４４ｂを形成する。それに対応して第１のプリント基板２２１の表面２２１ａで基板実装用ホール２２１Ａの直近に位置決め用ランド２２４ａ、２２４ｂを形成する。基板実装用ホール２２１Ａに脚板部２４１Ａを差し込んで位置決め用ランドどうしを手作業により半田付けし、接続用ランドどうしはフロー半田による自動半田付けで接合する。（例えば、特許文献１参照）。
【０００４】
ところが、これにおいては、ＤＩＰ時に第２のプリント基板２４１が傾かないようにしたものではなかった。
【０００５】
第２の従来技術を図６（ａ）（ｂ）に示す。この従来の三次元プリント配線基板構造は、図７（ａ）（ｂ）に示すように、第２基板３０６の挿通部３０６ａが第１基板３０１の長孔３０５に挿通され、係止部３０６ｂが長孔３０５の周縁に係止されて位置決めされる。この位置決めの後、長孔３０５の周縁近傍に形成されたランド部３０７ａと半田付けされることにより、両基板３０１及び３０６の導電パターン３０２及び３０７が接続されると共に両基板３０１及び３０６相互の固定がなされる。（例えば、特許文献２参照）。
【０００６】
ところが、これにおいては、ＤＩＰ時に第２基板３０６が傾かないようにしたものではなかった。
【特許文献１】特開２０００−３１６１５号公報
【特許文献２】特開平１−２８９１９１号公報
【発明の開示】
【発明が解決しようとする課題】
【０００７】
本発明は、上記従来の問題に鑑みてなされたものであって、メイン基板に縦向きに配置される立基板をＤＩＰ時に垂直に保持しておくことができて立基板の傾きを無くすことができる立基板の垂直保持構造を提供することを目的としている。
【課題を解決するための手段】
【０００８】
本発明は、上記課題を解決するために提案されたものであって、請求項１に記載の発明は、メイン基板に形成された穴部に挿入されて縦向きに配置される立基板をＤＩＰ時に傾かないように保持するようにした立基板の垂直保持構造において、前記立基板の表裏面における前記メイン基板の穴部に挿入される部分の前記メイン基板に対する少なくとも上下部分に形成されたランドに半田が予め盛られており、これら少なくとも上下部分の半田が前記メイン基板における前記穴部の上下縁に接することによって、前記立基板がＤＩＰ時に傾かないように保持されるようにしたことを特徴としている。
【０００９】
請求項２に記載の発明は、請求項１に記載の発明において、前記半田が前記立基板の表裏面における前記メイン基板の穴部とその上下部分に至る範囲に形成されたランドに盛られており、前記立基板を前記メイン基板の穴部に挿入した際に前記立基板に盛られた半田が前記メイン基板の穴部の内面に接するようにされている。
【００１０】
請求項３に記載の発明は、請求項１に記載の発明において、前記半田が前記立基板の表裏面における前記メイン基板の穴部の下部と上部に形成されたランドに盛られており、前記立基板を前記メイン基板の穴部に挿入した際に前記立基板に盛られた上部の半田が前記メイン基板上面に接するようにされている。
【００１１】
請求項４に記載の発明は、請求項１乃至３のいずれかに記載の発明において、前記半田は前記立基板の表裏面の横方向に複数列形成されたランドに盛られている。
【００１２】
請求項５に記載の発明は、請求項１乃至３のいずれかに記載の発明において、前記半田は前記立基板の横方向の表裏面における少なくとも左右２箇所形成されたランドに盛られている。
【発明の効果】
【００１３】
請求項１に記載の発明によれば、立基板をメイン基板の穴部に挿入した状態で立基板に形成されたランドに盛られた半田が、メイン基板における穴部の上下縁に接するから、ＤＩＰ時に立基板を垂直に保持しておくことができて立基板の傾きを無くすことができる。
【００１４】
請求項２に記載の発明によれば、立基板をメイン基板の穴部に挿入した状態で立基板のランドに盛られた半田がメイン基板の穴部の内面に接するから、ＤＩＰ時に立基板を垂直に保持しておくことができて、立基板の傾きを更に無くすことができる。
【００１５】
請求項３に記載の発明によれば、立基板をメイン基板の穴部に挿入した状態で、立基板に形成された上部のランドに盛られた半田がメイン基板の上面に接するから、この半田によってＤＩＰ時に立基板を正確に垂直に保持しておくことができて、立基板の傾きを無くすことができる。
【００１６】
請求項４に記載の発明によれば、半田が立基板の表裏面の横方向に複数列形成されたランドに盛られているから、立基板をメイン基板の穴部に挿入した状態でＤＩＰ時に立基板の複数列の半田によって立基板を確実に垂直に保持しておくことができ、立基板の傾きを無くすことができる。
【００１７】
請求項５に記載の発明によれば、半田が立基板の表裏面の横方向の表裏面に少なくとも左右２箇所形成されたランドに盛られているから、立基板をメイン基板の穴部に挿入した状態でＤＩＰ時に立基板の少なくとも左右２箇所の半田によって立基板を正確に垂直に保持しておくことができ、立基板の傾きを無くすことができる。また、立基板のランドに盛る半田の数を少なくすることができる利点がある。
【発明を実施するための最良の形態】
【００１８】
以下、本発明に係る立基板の垂直保持構造の実施の形態について、図を参照しつつ説明する。
【００１９】
図１は本発明の第１実施形態の立基板の垂直保持構造を示し、（ａ）はその立基板の正面図、（ｂ）はその立基板をメイン基板に挿入して立設した状態の部分縦断面図、図２は立基板の下部をＤＩＰ槽に浸した状態を示し、（ａ）はその平面図、（ｂ）はその正面図である。
【００２０】
この第１実施形態の立基板の垂直保持構造は、図１（ａ）、（ｂ）に示すように、メイン基板１の穴部１ａに立基板２が挿入されるようになっており、立基板２の表裏面におけるメイン基板１の穴部１ａとその上下部分に至る範囲にランド３が形成され、このランド３に半田４が盛られるようになっている。このランド３は図１（ａ）に示すように、立基板２の表裏面の横方向に複数列形成され、これら複数列のランド３に半田４が盛られるようになっている。半田４は、図１（ｂ）に示すように、メイン基板１の穴部１ａの内面に接するようにされている。尚、立基板２のランド３は立基板２の表裏面の少なくとも２箇所形成されていればよいものである。
【００２１】
立基板２の表裏面のランド３に半田４を自挿で盛るには、図２（ａ）に示すように、ディップ槽５に架け渡され、内側に開口６ａが形成されて、その上面に複数対のクリップ７が設けられた治具６に立基板２を支持させて、図２（ｂ）に示すように、この立基板２のランド３がディップ槽５内に浸るようにすることにより、立基板２のランド３に半田４が盛られるようにすればよい。クリップ７には、内側に向けて溝部７ａが形成され、これらの溝部７ａに立基板２の左右縁が入り込んで治具６に立基板２が垂直に保持されるようになっている。尚、立基板２のランド３に半田４を盛るには、手挿によって盛ってもよいものである。
【００２２】
従って、この第１実施形態によれば、立基板２をメイン基板１の穴部１ａに挿入した状態で立基板２のランド３に盛られた半田４がメイン基板１の穴部１ａの内面に接するから、ＤＩＰ時に立基板２を垂直に保持しておくことができて、立基板２の傾きを無くすことができる。
【００２３】
図３は第２実施形態の立基板の垂直保持構造を示し、（ａ）はその立基板の正面図、（ｂ）はその立基板をメイン基板に挿入して立設した状態の部分縦断面図である。
【００２４】
この第２実施形態の立基板の垂直保持構造は、図３（ａ）（ｂ）に示すように、立基板２Ａの表裏面におけるメイン基板１の穴部１ａの下部と上部にランド３Ａ、３Ｂが形成され、これらのランド３Ａ、３Ｂに半田４が盛られるようになっている。上部のランド３Ｂに盛られる半田４は厚くなるように形成されている。また、上部のランド３Ｂは、円形に形成されている。尚、立基板２Ａのランド３Ａ、３Ｂは立基板２Ａの表裏面の少なくとも２箇所形成されていればよいものである。
【００２５】
従って、この第２実施形態によれば、立基板２Ａをメイン基板１の穴部１ａに挿入した状態で、立基板２Ａに形成された上部のランド３Ｂに盛られた半田４がメイン基板１の上面に接するから、この半田４によってＤＩＰ時に立基板２Ａを正確に垂直に保持しておくことができて、立基板２Ａの傾きを無くすことができる。
【図面の簡単な説明】
【００２６】
【図１】本発明の第１実施形態の立基板の垂直保持構造を示し、（ａ）はその立基板の正面図、（ｂ）はその立基板をメイン基板に挿入して立設した状態の部分縦断面図である。
【図２】立基板の下部をＤＩＰ槽に浸した状態を示し、（ａ）はその平面図、（ｂ）はその正面図である。
【図３】第２実施形態の立基板の垂直保持構造を示し、（ａ）はその立基板の正面図、（ｂ）はその立基板をメイン基板に挿入して立設した状態の部分縦断面図である。
【図４】従来の立基板をメイン基板に縦向きに配置する状態を示し、（ａ）はその立基板の正面図、（ｂ）はその立基板をメイン基板に挿入して立設した状態の部分縦断面図である。
【図５】従来のプリント基板の垂直実装構造を示し、（ａ）はそのプリント基板を裏返して見ている斜視図、（ｂ）はその側面図である。
【図６】従来の三次元プリント配線基板構造を示し、（ａ）はその斜視図、（ｂ）はその部分断面図である。
【符号の説明】
【００２７】
１        メイン基板
１ａ      穴部
２        立基板
２Ａ      立基板
３        ランド
３Ａ      ランド
３Ｂ      ランド
４        半田
５        ディップ槽
６        治具
６ａ      開口
７        クリップ
７ａ      溝部
【図１】
2009049214.tif 000003
【図２】
2009049214.tif 000004
【図３】
2009049214.tif 000005
【図４】
2009049214.tif 000006
【図５】
2009049214.tif 000007
【図６】
2009049214.tif 000008